(57)【要約】【課題】運転訓練員による訓練を妨げることなく、見学者に十分な臨場感を与えてＰＡ効果を向上させることができる原子力シミュレータの見学システムを提供すること。【解決手段】運転訓練員Ｅ１〜Ｅ４による模擬制御盤１２の模擬操作部１３ｂ〜１６ｂに対する操作を動画で撮影する盤面カメラ１７と、プラントの模擬動作状態を演算する制御コンピュータ１８と、訓練風景を撮影する訓練風景カメラ２１と、大型ディスプレイ２４ａを有する見学補助用パソコン２４を有している。見学者Ｏ１〜Ｏ４は、大型ディスプレイ２４ａに表示される運転訓練員Ｅ１〜Ｅ４による訓練風景および操作部に対する操作、この操作に連動するプラントの模擬動作状態を見ることにより、運転訓練員Ｅ１〜Ｅ４の訓練の邪魔をすることなく、十分な臨場感を持って見学を行うことができる。【選択図】図４
2007292832.tif 000002
【特許請求の範囲】
【請求項１】
原子力発電プラントの制御盤を模擬した、プラントの運転訓練員が操作する模擬操作部を盤面に備えた模擬制御盤と、
前記模擬操作部に対する操作を検出する操作検出部と、
プラントの模擬初期条件を入力する入力部と、
該模擬初期条件及び前記操作検出部により検出された操作に基づいてプラントの模擬動作状態を演算する模擬動作状態演算部と、
を有する原子力シミュレータの見学システムであって、
前記運転訓練員による前記模擬操作部に対する操作を動画で撮影する盤面操作撮影手段と、
該盤面操作撮影手段により撮影された前記模擬操作部に対する操作の動画及び／又は前記動画における前記模擬操作部に対する操作に連動した前記模擬動作状態を表わす画像を表示する表示手段と、
を有していることを特徴とする原子力シミュレータの見学システム。
【請求項２】
更に、前記模擬動作状態に対応する模擬動作状態報知音声を記憶している模擬動作状態報知音声データベースと、模擬動作状態報知音声を前記模擬動作状態に基づいて前記模擬動作状態報知音声データベースから抽出する模擬動作状態報知音声抽出手段と、該模擬動作状態報知音声抽出手段により抽出された模擬動作状態報知音声を出力する音声出力手段とを備えており、
前記盤面操作撮影手段により撮影された動画における前記模擬操作部に対する操作に連動した模擬動作状態を音声で出力するようになっていることを特徴とする請求項１に記載の原子力シミュレータの見学システム。
【請求項３】
更に、前記運転訓練員による訓練風景を動画で撮影する訓練風景撮影手段を有しており、
前記表示手段が、前記盤面操作撮影手段により撮影された前記模擬操作部に対する操作の動画及び／又は前記動画における前記模擬操作部に対する操作に連動した模擬動作状態を表わす画像に代わって、或いは、前記盤面操作撮影手段により撮影された前記模擬操作部に対する操作の動画及び／又は前記動画における前記模擬操作部に対する操作に連動した模擬動作状態を表わす画像と共に、前記訓練風景撮影手段により撮影された訓練風景の動画を表示することを特徴とする請求項１又は２に記載の原子力シミュレータの見学システム。
【請求項４】
更に、前記模擬動作状態演算部により演算された前記模擬動作状態を表わす画像と、前記盤面操作撮影手段により撮影された前記模擬操作部に対する操作の動画と、前記訓練風景撮影手段により撮影された訓練風景の動画とをデータとして保存するデータ記憶手段と、保存されたデータを読み取るデータ読み取り手段と、を有しており、
該データ読み取り手段により読み取った、前記模擬動作状態を表わす画像、前記模擬操作部に対する操作の動画、前記訓練風景の動画の少なくとも１つを前記表示手段に表示することを特徴とする請求項３に記載の原子力シミュレータの見学システム。
【発明の詳細な説明】
【技術分野】
【０００１】
本発明は、原子力シミュレータの見学システムに関し、特に、見学者の原子力発電に対する理解を深めることができる見学システムに関する。
【背景技術】
【０００２】
従来、原子力発電プラントにおいては、近隣住民等に原子力発電に対する受容を促す活動、いわゆるＰＡ（Public Acceptance）に対する取り組みの一環として、原子力発電プラントの設備及びその業務内容の見学が一部開放されていた。しかし、近年では、テロ発生が懸念される等の理由により、一般の見学者による原子力発電プラントの見学は非常に限定的なものとなった。そして、現在、原子力発電プラントの警備は益々厳重となり、一般の人々がその敷地内に入ることすら難しくなっている。
【０００３】
一方、原子力発電プラントの運転訓練員には高度な技能と知識が要求されるため、原子力発電プラントの業務に関する訓練が原子力シミュレータを有する設備において行われている。この原子力シミュレータは、実際の原子力発電プラントの制御盤に酷似した外観及び種々の計器、ＣＲＴ、操作スイッチ等の部品構成を有する模擬制御盤と、該模擬制御盤の制御コンピュータとを含み、原子炉、タービン、発電機等の動きをこの制御コンピュータで模擬するものである（例えば特許文献１参照）。
【０００４】
従って、この原子力シミュレータを用いれば、運転訓練員は、模擬制御盤の操作スイッチ等を操作することにより、原子力発電プラントの起動・停止操作や、実際の原子力発電プラントでは経験することがほとんど無い緊急の事故の発生に対する対応を模擬的に体験することができ、技能と知識を大いに向上させることができる。
【０００５】
そして、模擬制御盤は上述のように実際の原子力発電プラントの制御盤と酷似した構成を有しているので、現在では実際の原子力発電プラントの見学に代えて上述の原子力シミュレータ設備を一般の人々に見学させることにより、ＰＡ活動を行っている。
【０００６】
【特許文献１】特開平１１−１５３９４０
【発明の開示】
【発明が解決しようとする課題】
【０００７】
しかし、上記原子力シミュレータの見学において、運転訓練員の訓練が行われている際に見学者がシミュレータに近寄ると訓練の妨げになるので、見学者は、シミュレータおよび運転訓練員の動作を離れた位置から見ることのできる別室（見学室）において、原子力発電プラントの立体模型や発電メカニズム等が記載されたパネルを利用した説明員の説明を受けることにより、見学を行っていた。
【０００８】
このような見学では、実際に行われている訓練とは直接関連のない情報を用いて見学が行われるため、見学者が訓練内容に対して十分な理解を得られるような臨場感のある見学を行うことができず、原子力シミュレータを利用したＰＡの取り組みとしては、十分な成果を挙げることができなかった。
【０００９】
本発明は、このような事情に鑑みてなされたものであり、その目的は、運転訓練員による訓練を妨げることなく見学者に十分な臨場感を与えてＰＡ効果を向上させることができる原子力シミュレータの見学システムを提供することにある。
【課題を解決するための手段】
【００１０】
上記課題を解決するために請求項１に記載の原子力シュミュレータの見学システムは、原子力発電プラントの制御盤を模擬した、プラントの運転訓練員が操作する模擬操作部を盤面に備えた模擬制御盤と、前記模擬操作部に対する操作を検出する操作検出部と、プラントの模擬初期条件を入力する入力部と、該模擬初期条件及び前記操作検出部により検出された操作に基づいてプラントの模擬動作状態を演算する模擬動作状態演算部と、を有する原子力シミュレータの見学システムであって、前記運転訓練員による前記模擬操作部に対する操作を動画で撮影する盤面操作撮影手段と、該盤面操作撮影手段により撮影された前記模擬操作部に対する操作の動画及び／又は前記動画における前記模擬操作部に対する操作に連動した前記模擬動作状態を表わす画像を表示する表示手段と、を有していることを特徴とする。
【００１１】
これにより、見学者は、表示手段に表示された上記模擬操作部に対する操作の動画及びこの操作に連動したプラントの模擬動作状態の変化を間近に見ることにより、運転訓練員の訓練の邪魔をすることなく、あたかも自分が訓練に参加しているような十分な臨場感を持って見学を行うことができる。従って、見学者の原子力発電に対する理解を深めることができ、ＰＡ効果の向上を図ることができる。
【００１２】
請求項２に記載の原子力シミュレータの見学システムは、  更に、前記模擬動作状態に対応する模擬動作状態報知音声を記憶している模擬動作状態報知音声データベースと、模擬動作状態報知音声を前記模擬動作状態に基づいて前記模擬動作状態報知音声データベースから抽出する模擬動作状態報知音声抽出手段と、該模擬動作状態報知音声抽出手段により抽出された模擬動作状態報知音声を出力する音声出力手段とを備えており、前記盤面操作撮影手段により撮影された動画における前記模擬操作部に対する操作に連動した模擬動作状態を音声で出力するようになっていることを特徴とする。
【００１３】
これにより、見学者は、表示手段に表示された模擬動作状態を表わす画像を見ると共に画像に対応した模擬動作状態報知音声を聞くことにより、プラントの模擬動作状態をよりリアルに知ることができるので、見学の臨場感が更に向上する。従って、見学者の原子力発電に対する理解を更に深めることができ、ＰＡ効果の向上を図ることができる。
【００１４】
請求項３に記載の原子力シミュレータの見学システムは、更に、前記運転訓練員による訓練風景を動画で撮影する訓練風景撮影手段を有しており、前記表示手段が、前記盤面操作撮影手段により撮影された前記模擬操作部に対する操作の動画及び／又は前記動画における前記模擬操作部に対する操作に連動した模擬動作状態を表わす画像に代わって、或いは、前記盤面操作撮影手段により撮影された前記模擬操作部に対する操作の動画及び／又は前記動画における前記模擬操作部に対する操作に連動した模擬動作状態を表わす画像と共に、前記訓練風景撮影手段により撮影された訓練風景の動画を表示することを特徴とする。
【００１５】
これにより、見学者は、運転訓練員による訓練の風景を間近に見ることによって見学することができるので、見学の臨場感を更に高めることができ、ＰＡ効果の向上を図ることができる。
【００１６】
請求項４に記載の原子力シミュレータの見学システムは、更に、前記模擬動作状態演算部により演算された前記模擬動作状態を表わす画像と、前記盤面操作撮影手段により撮影された前記模擬操作部に対する操作の動画と、前記訓練風景撮影手段により撮影された訓練風景の動画とをデータとして保存するデータ記憶手段と、保存されたデータを読み取るデータ読み取り手段と、を有しており、該データ読み取り手段により読み取った、前記模擬動作状態を表わす画像、前記模擬操作部に対する操作の動画、前記訓練風景の動画の少なくとも１つを前記表示手段に表示することを特徴とする。
【００１７】
これにより、見学者は、運転訓練員による訓練が行われていない休日等に見学を行う場合であっても、予め記憶された上記模擬動作状態を表わす画像、上記模擬操作部に対する操作の動画、上記訓練風景の動画を見ることができるので、訓練が行われている日と同様に臨場感のある見学を行うことができる。従って、訓練が行われていない場合にも、訓練状況を公開することによりＰＡ効果の向上を図ることができる。
【発明の効果】
【００１８】
本発明にかかる原子力シミュレータの見学システムによれば、見学者は、表示手段に表示される模擬制御盤の模擬操作部及び模擬操作部に対する操作に連動したプラントの模擬動作状態を表す画像を間近に見ることにより、模擬操作部への操作とこの操作に連動したプラントの模擬動作状態とを関連付けて理解することができるため、運転訓練員の訓練の邪魔をすることなく、あたかも自分が訓練に参加しているような臨場感を持って見学を行うことができる。これにより、見学者の原子力発電に対する理解を深めることができ、ＰＡ効果の向上を図ることができる。
【発明を実施するための最良の形態】
【００１９】
以下、本発明にかかる実施の形態について図面を参照にして詳細に説明する。なお、以下で説明する第１及び第２の実施の形態においては、各機器におけるデータ及び制御信号の送受を、原子力シミュレータ施設内の有線又は無線の所定のＬＡＮ（Local Area Network）を用いて行う。
【００２０】
（第１の実施の形態）
図１は、本実施の形態にかかる原子力シミュレータ及びその見学システムのハードウェア構成を示す説明図である。本実施の形態にかかる原子力シミュレータは、図１に示す、実プラントの中央制御盤の操作を訓練するための模擬制御盤１２と、この模擬制御盤１２を制御する制御コンピュータ１８から構成されており、その見学システムは、模擬制御盤１２に対する操作を撮影する盤面操作撮影手段としての盤面カメラ１７と、見学システム全体を制御する制御コンピュータ１８と、訓練の様子を撮影する訓練風景撮影手段としての訓練撮影カメラ２１と、見学者のための見学補助用パソコン２４から構成される。なお、本実施の形態では、上述のように制御コンピュータ１８が、原子力シミュレータと、その見学システムの両方の構成要素となる。
【００２１】
模擬制御盤１２は、実プラントのメイン制御盤である中央制御盤を模擬して構成され、実プラントの中央制御盤とほぼ同一の構成を有しており、原子力発電プラントの運転訓練員の訓練が行われる訓練室１０に設置されている。
【００２２】
この模擬制御盤１２は、模擬原子炉制御盤１３と、模擬原子炉安全設備制御盤１４と、模擬タービン発電機制御盤１５と、模擬電気盤１６と、から構成されており、これら各制御盤１４、１５、１６は、それぞれＣＲＴ１３ａ、１４ａ、１５ａ、１６ａと、模擬操作部としての操作スイッチ１３ｂ、１４ｂ、１５ｂ、１６ｂを有している。ＣＲＴ１３ａ〜１６ａは、プラントの模擬動作状態を画像として表示するものであり、操作スイッチ１３ｂ〜１６ｂは、運転訓練員が実プラントの制御盤の運転操作を訓練するために設置されたものである。
【００２３】
制御コンピュータ１８は、訓練室１０の制御室１６内に配置されており、プラントの模擬動作状態を演算し、模擬制御盤１２を制御するものである。また、この制御コンピュータ１８は、プラントの模擬動作状態を示す画像等を表示するディスプレイ１８ａを備えている。
【００２４】
盤面カメラ１７は、デジタルビデオカメラ等のデジタル動画撮影が可能なものであり、運転訓練員による操作スイッチ１３ｂ〜１６ｂに対する操作を動画（以下、「操作動画」という。）で撮影できるように、訓練室１０の模擬原子炉制御盤１３の正面側位置にセットされている。
【００２５】
訓練撮影カメラ２１は、同じくデジタルビデオカメラ等のデジタル動画撮影が可能なものであり、訓練室１０内において運転訓練員の訓練風景を動画（以下、「訓練風景動画」という。）で撮影するために、訓練を行う運転訓練員の全身が撮影できるような位置に設けられている。
【００２６】
見学補助用パソコン２４は、訓練室１０と透明なガラス壁２０を隔てて配置された見学室２２に設けられており、上述の盤面カメラ１７や訓練撮影カメラ２１により撮影された動画等を表示する表示手段としての大型ディスプレイ２４ａを有している。見学者はこの大型ディスプレイ２４ａを見ながら見学を行う。
【００２７】
図２は、模擬制御盤１２の模擬原子炉制御盤１３と制御コンピュータ１８、及び見学補助用パソコン２４間の上記ＬＡＮを用いた信号の送受を示したブロック図である。図示のように、制御コンピュータ１８は、上述のディスプレイ１８ａの他、訓練の教官等により訓練の目的に応じたプラントの模擬初期条件を入力する入力部としての入力キー２６と、運転訓練員による操作スイッチ１３ｂの操作を検出する操作検出部２８と、原子炉の模擬動作状態を演算する模擬動作状態演算部３０と、画像生成手段３４と、画像生成手段３４が生成した画像を模擬原子炉制御盤１３のＣＲＴ１３ａに送るＣＲＴ制御部３２と、データ送信手段３８を有している。
【００２８】
模擬動作状態演算部３０は、模擬初期条件入力キー２６に入力された模擬初期条件及び操作検出部２８により検出される操作スイッチ１３ｂへの操作に基づいてプラントの模擬動作状態の演算を行うものである。なお、当該演算は、シーケンスのインターロック等を模擬演算するためのロジックモデル、プラントのプロセス量等を模擬演算するための物理モデル、関数近似等の数式モデルを用いて行われる。
【００２９】
画像生成手段３４は、模擬動作状態演算部３０により演算された模擬動作状態を示す画像を表示するために、当該模擬動作状態から模擬動作状態画像を生成するものである。ＣＲＴ制御部３２は、画像生成手段３４により生成された模擬動作状態画像を模擬原子炉制御盤１３のＣＲＴ１３ａに表示するように制御するものである。なお、模擬動作状態画像は、ディスプレイ１８ａにも表示される。また、画像生成手段３４によって生成された模擬動作状態画像は、データ送信手段３８により見学補助用パソコン２４に送信される。
【００３０】
なお、模擬原子炉安全設備制御盤１４、模擬タービン発電機制御盤１５、模擬電気盤１６と制御コンピュータ１８等の装置との信号の送受にかかる構成は、上述の模擬原子炉制御盤１３と制御コンピュータ１８等の装置との信号の送受にかかる構成とほぼ同様であるので、その説明を省略する。
【００３１】
図３は、見学補助用パソコン２４と制御コンピュータ１８、盤面カメラ１７、訓練撮影カメラ２１との間の信号の送受を示したブロック図である。図示のように、見学補助用パソコン２４は、制御コンピュータ１８からの模擬動作状態画像と、盤面カメラ１７からの操作動画と、訓練撮影カメラ２１からの訓練風景動画を受信するための画像受信手段４２と、大型ディスプレイ２４ａに表示する画像として選択する画像選択手段４４と、模擬動作状態画像、操作動画及び訓練風景動画をデータとして記憶するデータ記憶手段としてのハードディスク４６と、ハードディスク４６から当該データを読み取るデータ読み取り手段４７を有している。
【００３２】
画像選択手段４４は、例えば見学者に訓練内容を説明する説明員による見学補助用パソコンに設けられた図示しない画像選択スイッチに対する操作と連動して、模擬動作状態画像、操作動画、訓練風景動画の中から、見学者が見る大型ディスプレイ２４ａに表示する画像を選択するものである。大型ディスプレイ２４ａ上の領域を２つに分ける等して、模擬動作状態画像と操作動画を同時に表示し、画像選択手段４４により、模擬動作状態画像及び操作動画と、訓練風景動画と、の表示選択を状況に応じて行うこともでき、模擬動作状態画像と操作動画を別々に大型ディスプレイ２４ａに表示し、模擬動作状態画像、操作動画、訓練風景動画をそれぞれ状況に応じて切替えるようにすることもできる。
【００３３】
以下、上記構成を有する本実施の形態の原子力シミュレータの見学システムの作動状態について図２〜図５を用いて説明する。なお、本作動状態における模擬制御盤１２の作動の説明は、原子炉制御盤１３の構成を用いてのみ行い、他の模擬原子炉安全設備制御盤１４、模擬タービン発電機制御盤１５、模擬電気盤１６は、原子炉制御盤１３とほぼ同様の構成を有しているのでその説明を省略する。
【００３４】
図４は、運転訓練員Ｅ１〜Ｅ４による訓練及び、見学者Ｏ１〜Ｏ４による見学が行われている様子を示した説明図であり、図５は、本実施の形態にかかる原子力シミュレータ及びその見学システムの作動工程を示すフローチャートである。
【００３５】
図５に示されるステップＳ１０１〜ステップＳ１０８は、運転訓練員Ｅ１〜Ｅ４による訓練時の原子力シミュレータの各構成の作動工程を示しており、ステップＴ１０１〜ステップＴ１０６は、原子力シミュレータの見学システムの各構成の作動工程を示している。
【００３６】
ステップＳ１０１において、教官Ｉが訓練の目的に応じた模擬初期条件、例えば、大型の地震が発生したという模擬動作状態を発生させるための模擬初期条件を制御コンピュータ１８の模擬初期条件入力キー２６に入力する。
【００３７】
ステップＳ１０２において、入力された上記模擬初期条件に基づいた最初の模擬動作状態、すなわち、大型の地震の発生に応じた模擬動作状態が模擬動作状態演算部３０にて演算される。
【００３８】
ステップＳ１０３において、最初の模擬動作状態に基づく最初の模擬動作状態画像を画像生成手段３４により生成し、ステップＴ１０１において、この最初の模擬動作状態画像を制御コンピュータ１８から見学補助用パソコン２４に送信する。
【００３９】
ステップＳ１０４において、ＣＲＴ制御部３２により最初の模擬動作状態画像を原子炉制御盤１３のＣＲＴ１３ａと制御コンピュータ１８のディスプレイ１８ａに表示し、ステップＴ１０２において、見学補助用パソコン２４に送信された最初の模擬動作状態画像を大型ディスプレイ２４ａに表示する。
【００４０】
これにより、運転訓練員Ｅ１〜Ｅ４と見学者Ｏ１〜Ｏ４が、それぞれＣＲＴ１３ａと大型ディスプレイ２４ａの画像を見て、最初の模擬動作状態、すなわち、大型の地震が発生したという模擬事実をほぼ同時に認識する。なお、ディスプレイ１８ａにも最初の模擬動作状態画像が表示されているので、教官Ｉも最初の模擬動作状態を確認することができる。
【００４１】
ステップＳ１０５において、運転訓練員Ｅ１〜Ｅ４は、最初の模擬動作状態に対する対処、例えば、プラントの通常運転を停止する対処に係る操作を操作スイッチ１３ｂに対して行い、ステップＴ１０３において、盤面カメラ１７により運転訓練員Ｅ１〜Ｅ４の操作スイッチ１３ｂに対する操作を動画で撮影し、訓練撮影カメラ２１により、運転訓練員Ｅ１〜Ｅ４の訓練風景を撮影する。
【００４２】
ステップＳ１０６において、運転訓練員Ｅ１〜Ｅ４による操作スイッチ１３ｂに対する操作を制御コンピュータ１８の操作検出部２８により検出し、検出した操作スイッチ１３ｂの操作を模擬動作状態演算部３０に送る。
【００４３】
ステップＴ１０４において、盤面カメラ１７が撮影している操作動画と、訓練撮影カメラ２１が撮影している訓練風景動画を見学補助用パソコン２４にそれぞれ送信する。
【００４４】
ステップＳ１０７において、模擬動作状態演算部３０は、操作スイッチ１３ｂに行われた操作を加味した模擬動作状態を演算し更新された模擬動作状態とし、当該更新された模擬動作状態に基づく更新された模擬動作状態画像を画像生成手段３４により生成し、ステップＴ１０５において、更新された模擬動作状態画像を制御コンピュータ１８から見学補助用パソコン２４に送信する。
【００４５】
ステップＳ１０８において、更新された模擬動作状態画像をＣＲＴ１３ａに表示し、ステップＴ１０６において、更新された模擬動作状態画像及び操作動画を、大型ディスプレイ２４ａ上の領域を２つに分けて両方表示し、見学者Ｏ１〜Ｏ４が、案内員Ｇによる解説を聞きながら、大型ディスプレイ２４ａに表示される更新された模擬動作状態画像及び操作動画を見ることで見学を行う。これにより、見学者Ｏ１〜Ｏ４は、運転訓練員Ｅ１〜Ｅ４と酷似した視点で、臨場感のある見学を行うことができる。
【００４６】
なお、画像選択手段４４により、上記更新された模擬動作状態画像及び操作動画の表示と、訓練風景動画の表示を案内員Ｇの手動操作により切替えることができる。従って、更新された模擬動作状態画像及び操作動画と、訓練風景動画と、の間で大型ディスプレイ２４ａに表示される画像を案内員Ｇがその時々の状況に応じて選択することで、見学者Ｏ１〜Ｏ４の見学に高い臨場感を与えることができ、ＰＡ効果の向上を図ることができる。
【００４７】
本実施の形態に係る原子力シミュレータの見学システムでは、見学補助用パソコン２４のハードディスク４６に模擬動作状態画像、操作動画、訓練風景動画を記憶させ、後に、大型ディスプレイ２４ａに表示するようにしても良い。これにより、例えば、休日等で運転訓練員Ｅ１〜Ｅ４による訓練が行われていない日に見学が行われた場合であっても、見学者は、予め記憶された模擬動作状態画像、操作動画、訓練風景動画を見ることができるので、訓練が行われている日と同様に臨場感のある見学を行うことができ、ＰＡ効果の向上を図ることができる。なお、模擬動作状態動作画像、操作動画、訓練風景動画をハードディスク４６ではなく、ＣＤ−ＲＯＭ等の所定の記憶媒体に記憶しておいても良い。
【００４８】
本実施の形態によれば、見学者Ｏ１〜Ｏ４は、大型ディスプレイ２４ａに表示される操作動画、模擬動作状態画像、訓練風景動画によって、運転訓練員Ｅ１〜Ｅ４による操作スイッチ１３ｂに対する操作、プラントの模擬動作状態、運転訓練員Ｅ１〜Ｅ４による訓練風景を見ることができ、運転訓練員Ｅ１〜Ｅ４の訓練を妨げることなく十分な臨場感を持って見学を行うことができる。従って、見学者Ｏ１〜Ｏ４の原子力発電に対する理解を深めることができ、ＰＡ効果の向上を図ることができる。
【００４９】
（第２の実施の形態）
以下、原子力シミュレータの見学システムの構成要素として、模擬動作状態報知音声ＤＢ５０、模擬動作状態報知音声抽出手段５２、模擬動作状態報知音声出力手段としてのスピーカ４８を加えた形態について説明する。
【００５０】
図６は、本実施の形態にかかる原子力シミュレータ及びその見学システムにおいて運転訓練員Ｅ１〜Ｅ４の訓練及び見学者Ｏ１〜Ｏ４の見学が行われている様子を示した説明図である。なお、第１の実施の形態と同様の要素には、同一の符号を付し、その説明を省略する。
【００５１】
図示のように、見学補助用パソコン２４には、模擬動作状態演算部３０により演算される模擬動作状態に対応する模擬動作状態報知音声を出力する音声出力手段としての一対のスピーカ４８が設けられている。
【００５２】
図７は、模擬動作状態報知音声の処理を説明するためのブロック図である。図示のように、見学補助用パソコン２４は、制御コンピュータ１８の模擬動作状態演算部３０から模擬動作状態を受信する模擬動作状態受信手段４９と、模擬動作状態報知音声ＤＢ５０と、模擬動作状態報知音声抽出手段５２を有している。
【００５３】
模擬動作状態報知音声ＤＢ５０は、模擬動作状態に対応した模擬動作状態報知音声が記憶されているものである。図８には、模擬動作状態報知音声ＤＢ５０に記憶された模擬報知音声の一例が示されている。図示のように、例えば、「○○弁が開く」という模擬動作状態に対して、「○○弁が開きました」という模擬報知音声が対応している。
【００５４】
図７に示されるように、模擬動作状態報知音声抽出手段５２は、模擬動作状態受信手段４９が受信した模擬動作状態を基準として、模擬動作状態報知音声ＤＢ５０から、模擬動作状態に対応した模擬報知音声を抽出するものである。スピーカ４８は、模擬動作状態報知音声抽出手段５２が抽出した模擬動作状態報知音声を出力するものである。
【００５５】
以下、本実施の形態にかかる原子力シミュレータの見学システムの作動状態について説明する。なお、本作動状態における模擬制御盤１２の作動の説明は、原子炉制御盤１３の構成を用いてのみ行い、他の模擬原子炉安全設備制御盤１４、模擬タービン発電機制御盤１５、模擬電気盤１６は、原子炉制御盤１３とほぼ同様の構成を有しているのでその説明を省略する。
【００５６】
図９は、本実施の形態に係る原子力シミュレータの見学システムの作動状態を示すフローチャートである。同図に示されるステップＵ１０１〜ステップＵ１０７は、運転訓練員Ｅ１〜Ｅ４による訓練時の原子力シミュレータの各構成の作動工程を示しており、ステップＶ１０１〜ステップＶ１０８は、原子力シミュレータの見学システムの各構成の作動工程を示している。
【００５７】
ステップＵ１０１において、教官Ｉが模擬初期条件を模擬初期条件入力キー２６に入力し、模擬動作状態演算部３０にて最初の模擬動作状態を演算する。本実施の形態では、大型の地震が発生するという模擬動作状態を発生させる。
【００５８】
ステップＶ１０１において、最初の模擬動作状態を制御コンピュータ１８から見学補助用パソコン２４に送信し、最初の模擬動作状態に基づく最初の模擬動作状態報知音声を模擬動作状態報知音声ＤＢから抽出する。本実施の形態では、図８に示されるように、「大型の地震が発生」という模擬動作状態に基づく「大型の地震が発生しました」という最初の模擬動作状態報知音声を抽出する。
【００５９】
ステップＵ１０２において、画像生成手段３４により最初の模擬動作状態に基づく模擬動作状態画像を生成し、ステップＶ１０２において、最初の模擬動作状態画像を制御コンピュータ１８から見学補助用パソコン２４に送信する。
【００６０】
ステップＵ１０３において、最初の模擬動作状態画像をＣＲＴ１３ａに及びディスプレイ１８ａに表示する。ステップＶ１０３において、最初の模擬動作状態画像を大型ディスプレイ２４ａに表示し、最初の模擬動作状態報知音声、すなわち、「大型の地震が発生しました」という最初の模擬動作状態報知音声をスピーカ４８により出力する。
【００６１】
ステップＵ１０４において、運転訓練員Ｅ１〜Ｅ４は、最初の模擬動作状態に対する対処、すなわち、本実施の形態では大型の地震の発生に対する対処の一つとして○○弁を開く操作を操作スイッチ１３ｂに対して行い、ステップＶ１０４において、盤面カメラ１７により運転訓練員Ｅ１〜Ｅ４の操作スイッチ１３ｂに対する操作を動画で撮影し、訓練撮影カメラ２１により、運転訓練員Ｅ１〜Ｅ４の訓練風景を撮影する。
【００６２】
ステップＵ１０５において、運転訓練員Ｅ１〜Ｅ４による操作スイッチ１３ｂに対する操作を制御コンピュータ１８の操作検出部２８により検出し、検出した操作スイッチ１３ｂの操作を模擬動作状態演算部３０に送る。
【００６３】
ステップＵ１０６において、模擬動作状態演算部３０は、操作スイッチ１３ｂに行われた操作を加味した模擬動作状態を演算し更新された模擬動作状態とする。ステップＶ１０５において、更新された模擬動作状態を制御コンピュータ１８から見学補助用パソコン２４に送信し、当該更新された模擬動作状態に基づいた模擬動作状態報知音声、すなわち、更新された模擬動作状態報知音声を抽出する。本実施の形態においては、図８に示されるように、更新された模擬動作状態、すなわち、「○○弁が開く」に対して、「○○弁が開きました」という更新された模擬動作状態報知音声を抽出する。
【００６４】
ステップＵ１０７において、更新された模擬動作状態に基づく更新された模擬動作状態画像をＣＲＴ１３ａに表示する。ステップＶ１０６において、操作動画、訓練風景動画、更新された模擬動作状態画像の各画像を盤面カメラ１７、訓練撮影カメラ２１、制御コンピュータ１８から見学補助用パソコン２４に送信する。
【００６５】
ステップＶ１０７において、上記各画像を第１の実施の形態の場合と同様に大型ディスプレイ２４ａに表示する。そして、「○○弁が開きました」という更新された模擬動作状態報知音声をスピーカ４８から出力する。
【００６６】
以上の構成及び作動状態により、第1の実施の形態の効果に加えて、見学者Ｏ１〜Ｏ４は、模擬動作状態の発生を、模擬動作状態報知音声を聞くことによりリアルに知ることができるので、見学の臨場感が更に向上する。従って、見学者Ｏ１〜Ｏ４の原子力発電に対する理解を更に深めることができ、ＰＡ効果の向上を図ることができる。
【００６７】
なお、本発明は、上記実施の形態に限定されるものではなく、発明の要旨の範囲内で種々の変更が可能である。例えば、上記第１、第２の実施の形態では、模擬制御盤として実プラントの中央制御盤を模擬したものであったが、他の制御盤を模擬したものを用いても良い。また、上記実施の形態では、制御コンピュータにより画像形成を行ったが、見学補助用パソコンにより行ってもよい。更に、上記実施の形態において、訓練の教官が運転訓練員の操作スイッチ１３ｂ〜１５ｂに対する操作を監視するために、盤面カメラおよび／または訓練撮影カメラの画像をまず制御コンピュータに送ってディスプレイ１８ａに表示し、これらのカメラの画像を制御コンピュータから通信手段を介して見学補助用パソコンに送信するようにしても良い。
【図面の簡単な説明】
【００６８】
【図１】第１の形態にかかる原子力シミュレータの見学システムにおける各ハードウェアの配置を示す説明図である。
【図２】模擬原子炉制御盤、制御コンピュータ、見学補助用パソコン間の上記ＬＡＮを用いた信号の送受を示したブロック図である。
【図３】見学補助用パソコン、制御コンピュータ、盤面カメラ、訓練撮影カメラとの信号の送受を示す説明図である。
【図４】運転訓練員の訓練及び見学者による見学が行われている様子を示す説明図である。
【図５】第１の実施の形態にかかる原子力シミュレータ及びその見学システムの作動工程を示すフローチャートである。
【図６】第２の実施の形態にかかる原子力シミュレータの見学システムにおいて、運転訓練員の訓練及び見学者による見学が行われている様子を示す説明図である。
【図７】模擬動作状態報知音声の処理を説明するためのブロック図である。
【図８】模擬動作状態報知音声ＤＢに記憶された模擬報知音声の一例を示す図である。
【図９】第２の実施の形態にかかる原子力シミュレータ及びその見学システムの作動工程を示すフローチャートである。
【符号の説明】
【００６９】
１２    模擬制御盤
１３    模擬原子炉制御盤
１３ｂ  操作スイッチ（模擬操作部）
１７    盤面カメラ（盤面操作撮影手段）
２１    訓練撮影カメラ（訓練風景撮影手段）
２４ａ  大型ディスプレイ（表示手段）
２６    模擬初期条件入力キー（入力部）
２８    操作検出部
３０    模擬動作状態演算部
４４    画像選択手段
４６    ハードディスク（データ記憶手段）
４７    データ読み取り手段
４８    スピーカ（音声出力手段）
５０    模擬動作状態報知音声ＤＢ（模擬動作状態報知音声データベース）
５２    模擬動作状態報知音声抽出手段
【図１】
2007292832.tif 000003
【図２】
2007292832.tif 000004
【図３】
2007292832.tif 000005
【図４】
2007292832.tif 000006
【図５】
2007292832.tif 000007
【図６】
2007292832.tif 000008
【図７】
2007292832.tif 000009
【図８】
2007292832.tif 000010
【図９】
2007292832.tif 000011